(57)【特許請求の範囲】
【請求項１】
コンタクトが収容される複数のキャビティが形成されたコネクタハウジングと、
前記各キャビティに対応する位置に形成された複数のコンタクト挿入孔を貫通して前記キャビティ内に前記コンタクトが挿入されると、前記コンタクトに接続された電線が前記コンタクト挿入孔の内周縁に密着されることでシールするワイヤシールと、を備え、
前記コネクタハウジングは、
凹部を有したアウターハウジングと、
前記凹部に嵌め込まれ、前記アウターハウジングとの間に前記ワイヤシールを挟み込むインナーハウジングと、を備え、
前記アウターハウジングに、前記アウターハウジングに対して前記ワイヤシールを位置決めするボスピンが複数形成され、
前記ワイヤシールに、前記ボスピンが挿入される複数のピン挿入孔が形成され、
複数の前記ボスピンのうち、前記ワイヤシールの外周側に位置する前記ボスピンは、前記ワイヤシールの外周側に臨む側のみが、先端部から基端部に向けて前記ワイヤシールの内周側から外周側に傾斜したテーパ形状とされており、
複数の前記ボスピンのうち、前記ワイヤシールの外周側に位置する前記ボスピンは、他の前記ボスピンよりも長く形成されていることを特徴とする防水コネクタ。
【請求項２】
請求項１に記載の防水コネクタの組み立て方法であって、
前記インナーハウジングの先端部に前記ワイヤシールを装着する工程と、
前記アウターハウジングの前記凹部に、先端部に前記ワイヤシールが装着された前記インナーハウジングを挿入し、前記ワイヤシールの前記ピン挿入孔に、前記ボスピンを挿入する工程と、を有することを特徴とする防水コネクタの組み立て方法。
【発明の詳細な説明】
【技術分野】
【０００１】
本発明は、防水コネクタ、防水コネクタの組み立て方法に関する。
【背景技術】
【０００２】
防水コネクタは、外部から水等の侵入を阻止するために、コネクタハウジング内にワイヤシール、あるいは一括ゴム栓と称される部材を設けているものが知られている（例えば、特許文献１参照。）。このワイヤシールは、コネクタのハウジングにおける複数のキャビティの夫々に対応する位置にコンタクト挿入孔を設けており、コンタクトがこのコンタクト挿入孔を通ってキャビティに挿入されると、コンタクト挿入孔の内周縁にコンタクトに接続される電線が密着することで防水性が確保される。
【０００３】
ここで、コネクタハウジングは、アウターハウジングとインナーハウジングとからなる。防水コネクタは、これらアウターハウジングに形成された凹部内に、インナーハウジングが嵌め込まれ、これらアウターハウジングとインナーハウジングとの間に、ワイヤシールが挟み込まれている。
【０００４】
コネクタハウジングは樹脂材料から形成され、ワイヤシールはゴム系材料から形成されるのが一般的である。そして、アウターハウジング、インナーハウジングにそれぞれ形成されたキャビティと、ワイヤシールに形成されたコンタクト挿入孔の位置を合致させるため、ワイヤシールは、インナーハウジングに装着固定されており、アウターハウジングに対してはピンにより位置決めされる。すなわち、アウターハウジングにはピン状のボスが形成され、インナーハウジングに装着されたワイヤシールにはボスが挿入される凹部が形成されている。ワイヤシールの凹部にボスを挿入することで、ワイヤシールがアウターハウジング内で位置決めされている。
【先行技術文献】
【特許文献】
【０００５】
【特許文献１】特許第３１７４２６１号公報
【発明の概要】
【発明が解決しようとする課題】
【０００６】
しかしながら、上記したような従来の技術においては以下に示すような問題が存在する。
防水コネクタの組み立て工程において、ワイヤシールとインナーハウジングとの間におけるシール性を確保するため、インナーハウジングに嵌め込まれるワイヤシールに、所定の締め代が設定されている。このため、インナーハウジングにワイヤシールを嵌め込む際、ワイヤシールが内方に向けて圧縮変形することになる。このときに、ワイヤシールの圧縮変形によって、ワイヤシールに形成された凹部が本来の位置からズレてしまうことがある。すると、ワイヤシールの凹部にアウターハウジングのボスを挿入することができず、防水コネクタの組み立て作業に障害が生じてしまう。
ワイヤシールはゴム系材料からなるため、ワイヤシールがアウターハウジングの凹部に対して正しい位置に収められない状態のまま、アウターハウジングとインナーハウジングを無理やり嵌合させてしまうことも考えられる。そのような場合、ワイヤシールのコンタクト挿入穴にコンタクトを挿入できなかったり、コンタクトが曲がってしまい、コネクタとしての機能を果たせなくなってしまう。
本発明は、このような技術的課題に基づいてなされたもので、防水コネクタをスムーズに組み立て、コネクタとしての機能を正しく発揮させることのできる防水コネクタ、防水コネクタの組み立て方法を提供することを目的とする。
【課題を解決するための手段】
【０００７】
かかる目的のもとになされた本発明の防水コネクタは、コンタクトが収容される複数のキャビティが形成されたコネクタハウジングと、各キャビティに対応する位置に形成された複数のコンタクト挿入孔を貫通してキャビティ内にコンタクトが挿入されると、コンタクトに接続された電線がコンタクト挿入孔の内周縁に密着されることでシールするワイヤシールと、を備える。コネクタハウジングは、ワイヤシールを収容する凹部を有したアウターハウジングと、凹部に嵌め込まれ、アウターハウジングとの間にワイヤシールを挟み込むインナーハウジングと、を備え、アウターハウジングに、アウターハウジングに対してワイヤシールを位置決めするボスピンが複数形成され、ワイヤシールに、ボスピンが挿入される複数のピン挿入孔が形成されている。そして、複数のボスピンのうち、ワイヤシールの外周側に位置するボスピンは、ワイヤシールの外周側に臨む側のみが、先端部から基端部に向けてワイヤシールの内周側から外周側に傾斜したテーパ形状とされていることを特徴とする。
このように、ワイヤシールの外周側に位置するボスピンの、ワイヤシールの外周側に臨む側のみをテーパ形状とすることで、ワイヤシールのピン挿入孔に対してボスピンがずれていても、ボスピンをピン挿入孔に確実に案内できる。
【０００８】
ここで、複数のボスピンのうち、ワイヤシールの外周側に位置するボスピンは、他のボスピンよりも長く形成する。
【０００９】
また、本発明は、上記したような防水コネクタの組み立て方法であって、インナーハウジングの先端部にワイヤシールを装着する工程と、アウターハウジングの凹部に、先端部にワイヤシールが装着されたインナーハウジングを挿入し、ワイヤシールのピン挿入孔に、ボスピンを挿入する工程と、を有することを特徴とする。
【発明の効果】
【００１０】
本発明によれば、ワイヤシールのピン挿入孔に対してボスピンがずれていても、ボスピンをピン挿入孔に確実に案内できる。これにより、防水コネクタをスムーズに組み立て、コネクタとしての機能を正しく発揮させることが可能となる。
【図面の簡単な説明】
【００１１】
【図１】本実施の形態における防水コネクタの構成を示す斜視展開図である。
【図２】図１の防水コネクタを異なる角度から見たときの斜視展開図である。
【図３】防水コネクタの断面図である。
【図４】ワイヤシールの断面図である。
【図５】アウターハウジングを示す斜視図である。
【図６】アウターハウジングに形成したボスピンを示す断面図である。
【図７】組み立て途中の防水コネクタを示す断面図である。
【発明を実施するための形態】
【００１２】
以下、図面を参照しながら本発明を実施の形態に基づいて説明する。
図１〜図３に示す防水コネクタ１は、インナーハウジング１０と、ワイヤシール３０と、アウターハウジング５０とを備えている。
【００１３】
インナーハウジング１０は、略直方体形状に形成されている。インナーハウジング１０には、コンタクト（図示略）を収容するための、複数のキャビティ１１が設けられている。図示を省略しているが、前後方向に貫通する各キャビティ１１には、コンタクトを一次的に係止するためのハウジングランスが設けられている。
インナーハウジング１０には、アウターハウジング５０と対向するインナーハウジング１０の前端周縁に前方に向けて延びる周囲壁１２が設けられており、この周囲壁１２の内部がワイヤシール３０を収容するシール収容凹部１３を構成する。
【００１４】
ワイヤシール３０は、一括型の防水部材であり、略板状に形成されてインナーハウジング１０のシール収容凹部１３内に収容されるようになっている。ワイヤシール３０は、通常、エラストマ（Elastic Polymer）により作製されるが、防水機能を発揮できる材料であれば制限はない。
ワイヤシール３０の外周形状、寸法は周囲壁１２の内周面と密着するように作製されるとともに、ワイヤシール３０の外周面には、インナーハウジング１０の周囲壁１２の内周面との密着性を向上するための複数の突条３２ａ、３２ｂ、３２ｃが設けられている。
【００１５】
ワイヤシール３０には、キャビティ１１に対応する位置に複数のコンタクト挿入孔３１が形成されている。キャビティ１１に収容された電力用コンタクトに接続された電線は、コンタクト挿入孔３１を通ってアウターハウジング５０側に導出される。
【００１６】
図４に示すように、各コンタクト挿入孔３１の内周には複数の突条３３ａ、３３ｂ、３３ｃが設けられ、これら突条３３ａ、３３ｂ、３３ｃが電線Ｗの外周面に密着している。このため、各コンタクト挿入孔３１からインナーハウジング１０の内部への浸水を阻止することができる。
【００１７】
アウターハウジング５０は、インナーハウジング１０を覆うように装着されてワイヤシール３０の抜け止めを行う。
アウターハウジング５０には、キャビティ１１に対応する位置に複数の電線挿入孔５１が設けられている。コンタクトに接続される電線Ｗは電線挿入孔５１を通って後方に導出される。
【００１８】
さて、図５に示すように、上記したような構成を有するアウターハウジング５０において、電線挿入孔５１が形成された領域の外周部に、複数のボスピン７０が形成されている。これら複数のボスピン７０は、電線挿入孔５１が形成された領域の外周部に沿って、間隔を隔てて設けられている。また、ボスピン７０は、電線挿入孔５１が形成された領域の内部に配置するようにしてもよい。
ここで、図５〜図７に示すように、アウターハウジング５０に形成された複数のボスピン７０のうち、電線挿入孔５１が形成された領域の外周部、特にアウターハウジング５０の短辺５０Ｓに沿う部分に配置されたボスピン７０Ａは、それ以外の部分に配置されたボスピン７０Ｂとは異なり、先端部７０ｃが、先端にいくに従いその径が漸次小さくなるテーパ形状とされている。ここで、図６に示すように、先端部７０ｃは、電線挿入孔５１が形成された領域の外周側にのみ、テーパ面７１を形成してもよい。なお、ボスピン７０Ｂは、先端部７０ｄは球形状等とすることができる。
さらに、ボスピン７０Ａは、ボスピン７０Ｂよりも、アウターハウジング５０からの突出長さが長く設定されている。
【００１９】
一方、図１に示したように、ワイヤシール３０には、アウターハウジング５０の各ボスピン７０に対向する位置に、ピン挿入孔８０が形成されている。
【００２０】
上述したような構成によれば、ボスピン７０のうち、電線挿入孔５１が形成された領域の外周部に配置されたボスピン７０Ａの先端部７０ｃをテーパ形状することで、図６に示したように、インナーハウジング１０に装着されたワイヤシール３０をアウターハウジング５０に嵌め合わせるに際し、ボスピン７０Ａの先端部７０ｃがピン挿入孔８０に触れたときに、ピン挿入孔８０に対してボスピン７０Ａがずれていても、ボスピン７０Ａをピン挿入孔８０に容易に導くことができる。
【００２１】
また、ボスピン７０のうち、電線挿入孔５１が形成された領域の外周部に配置されたボスピン７０Ａの突出長さを大きくすることで、ワイヤシール３０をアウターハウジング５０に嵌め合わせるに際し、外周側のボスピン７０Ａの先端部７０ｃが内周側のボスピン７０Ｂよりも先行してピン挿入孔８０に触れる。これにより、ピン挿入孔８０に対してボスピン７０Ａ、７０Ｂがずれていても、ボスピン７０Ａ、７０Ｂをピン挿入孔８０に容易に導くことができる。
【００２２】
このようにして、ボスピン７０をピン挿入孔８０にスムーズかつ確実に嵌め合わせることで、ワイヤシール３０をアウターハウジング５０に対して正しい位置に確実に組み付けることができる。その結果、防水コネクタ１をスムーズに組み立てることができ、コネクタとしての機能を正しく発揮させることが可能となる。
【００２３】
なお、上記実施の形態では、防水コネクタ１の各部の構成を示したが、例えばインナーハウジング１０、アウターハウジング５０の形態もあくまで例示であり、ワイヤシール３０が装着されるいかなる形態の防水コネクタにも本発明を適用できることは言うまでもない。
これ以外にも、本発明の主旨を逸脱しない限り、上記実施の形態で挙げた構成を取捨選択したり、他の構成に適宜変更することが可能である。
【符号の説明】
【００２４】
１…防水コネクタ、１０…インナーハウジング、１１…キャビティ、１２…周囲壁、１３…シール収容凹部、３０…ワイヤシール、３１…コンタクト挿入孔、５０…アウターハウジング、５１…電線挿入孔、７０…ボスピン、７０ｃ…先端部、７０ｄ…先端部、７１…テーパ面、８０…ピン挿入孔
【図１】
0005663291.tif 000002
【図２】
0005663291.tif 000003
【図３】
0005663291.tif 000004
【図４】
0005663291.tif 000005
【図５】
0005663291.tif 000006
【図６】
0005663291.tif 000007
【図７】
0005663291.tif 000008